(57)【特許請求の範囲】
【請求項１】
外部と第１の周波数の搬送波を使用した非接触式の通信を行う通信部と、
コイルとコンデンサとを有し、共振周波数を、前記第１の周波数と、当該第１の周波数とは異なる第２の周波数とのいずれかに切り替え可能に構成された共振回路を備え、当該共振回路を介して、外部から前記第２の周波数の交流を使用して送信された電力の受電を行う受電部と、
前記第２の周波数の交流を使用して外部から送信された信号を検知された場合に、前記共振回路の共振周波数を、当該第２の周波数に設定する設定部と、
を備える、情報処理装置。
【請求項２】
前記通信部が有する通信を行うための電気回路に供給される前記第２の周波数の交流を遮断するフィルタをさらに備える、請求項１に記載の情報処理装置。
【請求項３】
前記第２の周波数の交流は、前記第１の周波数の交流を分周して生成される、請求項１に記載の情報処理装置。
【請求項４】
前記第２の周波数は、６．７８ＭＨｚである、請求項１に記載の情報処理装置。
【請求項５】
前記第２の周波数の交流は、前記第１の周波数とは異なる第３の周波数の交流を分周して生成される、請求項１に記載の情報処理装置。
【請求項６】
前記通信部は、外部に前記受電部による電力の受電の際に使用される交流の周波数を、前記第１の周波数とは異なる複数の周波数から指定するための周波数情報を含む送電要求を送信し、
前記受電部は、外部から前記周波数情報に基づいて選択された前記第２の周波数の交流を使用して送信された電力の受電を行う、請求項１に記載の情報処理装置。
【請求項７】
外部と第１の周波数の搬送波を使用した非接触式の通信を行う通信ステップと、
コイルとコンデンサとを有し、共振周波数を、前記第１の周波数と、当該第１の周波数とは異なる第２の周波数とのいずれかに切り替え可能に構成された共振回路を介して、外部から前記第２の周波数の交流を使用して送信された電力の受電を行う受電ステップと、
前記第２の周波数の交流を使用して外部から送信された信号を検知された場合に、前記共振回路の共振周波数を、当該第２の周波数に設定するステップと、
を有する、情報処理方法。
【請求項８】
第２の情報処理装置と第１の周波数の搬送波を使用した非接触式の通信を行う通信部と、
前記第２の情報処理装置に前記第１の周波数とは異なる第２の周波数の交流を使用して電力の送信を行う送電部と、
を備える、第１の情報処理装置と、
前記第１の情報処理装置と前記第１の周波数の搬送波を使用した非接触式の通信を行う通信部と、
コイルとコンデンサとを有し、共振周波数を、前記第１の周波数と、当該第１の周波数とは異なる第２の周波数とのいずれかに切り替え可能に構成された共振回路を備え、当該共振回路を介して、外部から前記第２の周波数の交流を使用して送信された電力の受電を行う受電部と、
前記第２の周波数の交流を使用して外部から送信された信号を検知された場合に、前記共振回路の共振周波数を、当該第２の周波数に設定する設定部と、
を備える、前記第２の情報処理装置と、
を備える、情報処理システム。
【発明の詳細な説明】
【技術分野】
【０００１】
本発明は、情報処理装置、情報処理方法および情報処理システムに関する。
【背景技術】
【０００２】
近年、非接触式の通信（以下、単に「非接触通信」という。）機能を備えたＩＣカードや携帯電話などの情報処理装置が広く普及している。ユーザは、非接触通信機能を備えた情報処理装置を例えば地下鉄の自動改札機に設置されたリーダ／ライタに翳すだけで改札を通過することができるため、非常に便利である。
【０００３】
非接触通信機能を備えた情報処理装置と、例えばリーダ／ライタとは、１３．５６ＭＨｚなどの特定の周波数の搬送波を通信に使用している。そして、リーダ／ライタが搬送波信号をのせた搬送波を送信し、搬送波をアンテナで受信した情報処理装置が負荷変調によって受信した搬送波信号に対する応答信号を返信することにより、リーダ／ライタと情報処理装置とは通信を行っている。
【０００４】
また、非接触通信機能を備えた情報処理装置において、非接触式でバッテリなどへの充電を行えるようにした技術が提案されつつある。例えば、受電装置側の定格電力を特定して、送電装置側の最大伝送電力を受電装置側の定格電力に適合させて通常送電を行う無接点電力伝送システムが提案されている（例えば、特許文献１参照。）。
【先行技術文献】
【特許文献】
【０００５】
【特許文献１】特開２００８−２０６２３３号公報
【発明の概要】
【発明が解決しようとする課題】
【０００６】
ところで、非接触通信機能を備えた情報処理装置に非接触式の充電（以下、単に「非接触充電」という。）機能を搭載させる場合、装置の小型化を図るために、非接触通信で使用しているアンテナを非接触充電においても使用するのがよい。
【０００７】
しかしながら、非接触充電において、非接触通信で使用している１３．５６ＭＨｚの周波数の搬送波を使用した場合、非接触充電では出力が高出力であるため、誘起電圧は非常に高くなり、情報処理装置における非接触通信のための電気回路が破壊されてしまう虞がある。
【０００８】
また、非接触充電において、非接触通信で使用している１３．５６ＭＨｚ以外の周波数の搬送波を使用した場合においても、誘起電圧は発生するため、情報処理装置における非接触通信のための電気回路には誘起電圧・電流がかかり、この状態が長時間に亘ると電気回路が破壊されてしまう虞がある。
【０００９】
そこで、本発明は、上記問題に鑑みてなされたものであり、本発明の目的とするところは、非接触式の通信および充電機能を有する情報処理装置において、非接触式の充電を安全に行うことが可能な、新規かつ改良された情報処理装置、情報処理方法および情報処理システムを提供することにある。
【課題を解決するための手段】
【００１０】
上記課題を解決するために、本発明のある観点によれば、外部と第１の周波数の搬送波を使用した非接触式の通信を行う通信部と、外部から前記第１の周波数とは異なる第２の周波数の交流を使用して送信された電力の受電を行う受電部とを備える情報処理装置が提供される。
【００１１】
前記通信部が有する通信を行うための電気回路に供給される前記第２の周波数の交流を遮断するフィルタをさらに備えてもよい。
【００１２】
前記受電部が有する、コイルとコンデンサとを有する共振回路の共振周波数を前記第２の周波数に設定する設定部をさらに備えてもよい。
【００１３】
前記第２の周波数の交流は、前記第１の周波数の交流を分周して生成されてもよい。
【００１４】
前記第２の周波数は、６．７８ＭＨｚであってもよい。
【００１５】
前記第２の周波数の交流は、前記第１の周波数とは異なる第３の周波数の交流を分周して生成されてもよい。
【００１６】
前記設定部は、前記第２の周波数の交流を使用して送信された信号に基づいて、前記共振回路の共振周波数を前記第２の周波数に設定してもよい。
【００１７】
前記通信部は、外部に前記受電部による電力の受電の際に使用される交流の周波数を指定するための周波数情報を含む送電要求を送信し、前記受電部は、外部から前記周波数情報に基づいて選択された第４の周波数の交流を使用して送信された電力の受電を行ってもよい。
【００１８】
また、上記課題を解決するために、本発明の別の観点によれば、外部と第１の周波数の搬送波を使用した非接触式の通信を行う通信部と、外部から送信された前記第１の周波数とは異なる第２の周波数の交流を遮断するフィルタとを備える情報処理装置が提供される。
【００１９】
また、上記課題を解決するために、本発明の別の観点によれば、外部と第１の周波数の搬送波を使用した非接触式の通信を行う通信ステップと、外部から前記第１の周波数とは異なる第２の周波数の交流を使用して送信された電力の受電を行う受電ステップとを有する情報処理方法が提供される。
【００２０】
また、上記課題を解決するために、本発明の別の観点によれば、第２の情報処理装置と第１の周波数の搬送波を使用した非接触式の通信を行う通信部と、前記第２の情報処理装置に前記第１の周波数とは異なる第２の周波数の交流を使用して電力の送信を行う送電部とを備える第１の情報処理装置と、前記第１の情報処理装置と前記第１の周波数の搬送波を使用した非接触式の通信を行う通信部と、前記第１の情報処理装置から前記第２の周波数の交流を使用して送信された電力の受電を行う受電部とを備える前記第２の情報処理装置とを備える情報処理システムが提供される。
【００２１】
また、上記課題を解決するために、本発明の別の観点によれば、外部と第１の周波数の搬送波を使用した非接触式の通信を行う通信部と、外部に前記第１の周波数とは異なる第２の周波数の交流を使用して電力の送信を行う送電部とを備える情報処理装置が提供される。
【００２２】
前記第２の周波数の交流は、前記第１の周波数の交流を分周して生成されてもよい。
【００２３】
前記第２の周波数は、６．７８ＭＨｚであってもよい。
【００２４】
前記第２の周波数の交流は、前記第１の周波数とは異なる第３の周波数の交流を分周して生成されてもよい。
【００２５】
前記通信部は、外部から前記送電部による電力の送電の際に使用される交流の周波数を指定するための周波数情報を含む送電要求を受信し、前記送電部は、外部に前記周波数情報に基づいて選択した第４の周波数の交流を使用して電力の送信を行ってもよい。
【発明の効果】
【００２６】
以上説明したように本発明によれば、非接触式の通信および充電機能を有する情報処理装置において、非接触式の充電を安全に行うことができる。
【図面の簡単な説明】
【００２７】
【図１】本発明の第１の実施の形態に係る情報処理システムの概略構成を主に示す説明図である。
【図２】図１における情報処理システムの概略構成をより詳細に示す説明図である。
【図３】図１における情報処理システムが実行する第１の充電／通信処理のシーケンス図である。
【図４】図１における情報処理システムが実行する第２の充電／通信処理のシーケンス図である。
【図５】図１における情報処理システムが実行する第３の充電／通信処理のシーケンス図である。
【図６】本発明の第２の実施の形態に係る情報処理システムの概略構成を主に示す説明図である。
【図７】図６における情報処理システムの概略構成をより詳細に示す説明図である。
【図８】本発明の第３の実施の形態に係る情報処理システムの概略構成を主に示す説明図である。
【図９】図８における情報処理システムの概略構成をより詳細に示す説明図である。
【図１０】図８における情報処理システムが実行する充電／通信処理のシーケンス図である。
【図１１】本発明の第４の実施の形態に係る情報処理システムの概略構成を主に示す説明図である。
【図１２】図１１における情報処理システムの概略構成をより詳細に示す説明図である。
【図１３】上述した第１の実施の形態に係る情報処理システムにおいて、情報処理装置がフィルタを備える場合と、情報処理装置がフィルタを備えない場合とにおける、電圧値の数値シミュレーションの結果を示すグラフである。
【図１４】上述した第１の実施の形態に係る情報処理システムにおいて、情報処理装置がフィルタを備える場合と、情報処理装置がフィルタを備えない場合とにおける、電流値の数値シミュレーションの結果を示すグラフである。
【発明を実施するための形態】
【００２８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２９】
なお、説明は以下の順序で行うものとする。
１．情報処理システム（第１の実施の形態）
２．第１の充電／通信処理
３．第２の充電／通信処理
４．第３の充電／通信処理
５．情報処理システム（第２の実施の形態）
６．情報処理システム（第３の実施の形態）
７．充電／通信処理
８．情報処理システム（第４の実施の形態）
９．数値シミュレーション結果
【００３０】
［１．情報処理システム（第１の実施の形態）］
まず、本発明の第１の実施の形態に係る情報処理システムについて説明する。図１は、本実施の形態に係る情報処理システムの概略構成を主に示す説明図である。
【００３１】
図１において、情報処理システム１０００は、リーダ／ライタ機能を有する充電装置１００と、非接触式の通信（以下、単に「非接触通信」という。）機能を有する携帯電話などの情報処理装置２００とを備える。なお、充電装置１００は、本発明の第１の情報処理装置の一例であり、情報処理装置２００は、本発明の第２の情報処理装置の一例である。
【００３２】
充電装置１００は、送電部１０２と、通信部１０４と、発振部１０６と、分周部１０８とを備える。送電部１０２は、充電装置１００が備える後述する図２のコイルＬ０を使用して情報処理装置２００に送電を行う。通信部１０４は、図２のコイルＬ０を使用して情報処理装置２００と通信を行う。発振部１０６は、例えば２７．１２ＭＨｚの周波数の交流を生成する。分周部１０８は、発振部１０６が生成した交流を分周する。
【００３３】
また、通信部１０４は、発振部１０６が生成した２７．１２ＭＨｚの周波数の交流を分周した１３．５６ＭＨｚの周波数の交流を、搬送波として通信の際に使用する。なお、１３．５６ＭＨｚの周波数は、本発明の第１の周波数の一例である。また、送電部１０２は、発振部１０６が生成した２７．１２ＭＨｚの周波数の交流を分周した１３．５６ＭＨｚの周波数の交流を、さらに分周部１０８で分周した例えば６．７８ＭＨｚの周波数の交流を、送電の際に使用する。なお、６．７８ＭＨｚの周波数は、本発明の第２の周波数の一例である。
【００３４】
情報処理装置２００は、受電部２０２と、通信部２０４と、移動体通信部２０６と、発振部２０８，２１０と、アンテナ２１２とを備える。受電部２０２は、情報処理装置２００が備える後述する図２のコイルＬ１を使用して充電装置１００から送信された電力の受電を行う。通信部２０４は、図２のコイルＬ１を使用して充電装置１００と通信を行う。移動体通信部２０６は、アンテナ２１２を使用して携帯電話網（図示しない）に接続された基地局３００と通信を行う。発振部２０８は、例えば２７．１２ＭＨｚの周波数の交流を生成する。発振部２１０は、例えば１９．２ＭＨｚの周波数の交流を生成する。
【００３５】
また、通信部２０４は、発振部２０８が生成した２７．１２ＭＨｚの周波数の交流を分周した１３．５６ＭＨｚの周波数の交流を、搬送波として通信の際に使用する。また、移動体通信部２０６は、発振部２１０が生成した１９．２ＭＨｚの周波数の交流を、搬送波として通信の際に使用する。
【００３６】
情報処理システム１０００では、充電装置１００と情報処理装置２００とは、非接触通信、および非接触式の充電（以下、単に「非接触充電」という。）を行うことができる。
【００３７】
次に、図１における情報処理システム１０００の構成についてより詳細に説明する。図２は、図１における情報処理システム１０００の概略構成をより詳細に示す説明図である。
【００３８】
図２において、充電装置１００は、アンテナ１１０と、制御部１１２と、発振子１１８と、分周器１２０と、アダプタ１２２とを備える。アンテナ１１０は、コイルＬ０を備える。制御部１１２は、充電装置１００の各部の制御を行う。また、制御部１１２は、通信制御部１１４と、送電制御部１１６とを備える。発振子１１８は、例えば２７．１２ＭＨｚの周波数の交流を生成する水晶発振子などの発振子である。分周器１２０は、発振子１１８が生成した２７．１２ＭＨｚの周波数の交流を分周して１３．５６ＭＨｚの周波数の交流や６．７８ＭＨｚの周波数の交流を生成する。アダプタ１２２は、ＡＣ電源３０２に接続して、充電装置１００の各部に電力を供給する。
【００３９】
情報処理装置２００は、コイルＬ１とコンデンサＣ１とが並列に接続された共振回路２１４と、ＩＣチップ２１６，２１８と、バッテリ２２０と、フィルタ２２２と、コンデンサＣ２を有効化または無効化するためのスイッチ（ＳＷ）２２４とを備える。なお、ＳＷ２２４は、本発明の設定部の一例である。共振回路２１４には、共振周波数として１３．５６ＭＨｚの周波数が設定されている。ＩＣチップ２１６は、非接触通信のための電気回路である。ＩＣチップ２１８は、バッテリ２２０の充電のための電気回路である。バッテリ２２０は、充電装置１００から送信された電力を蓄積する。また、バッテリ２２０は、蓄積した電力を情報処理装置２００の各部に供給する。フィルタ２２２には、所定のカットオフ周波数が設定されている。例えば、充電装置１００が電力の送電の際に、６．７８ＭＨｚの周波数の交流を使用する場合には、フィルタ２２２には、６．７８ＭＨｚの周波数のカットオフ周波数が設定される。
【００４０】
また、ＩＣチップ２１８は、センス回路２２６と、ＳＷ切り替え回路２２８とを備える。センス回路２２６は、所定の周波数の信号を検知する。例えば、充電装置１００が電力の送電の際に、６．７８ＭＨｚの周波数の交流を使用する場合には、センス回路２２６は、６．７８ＭＨｚの周波数の交流の検知を行う。ＳＷ切り替え回路２２８は、本発明の設定部の一例であり、ＳＷ２２４のオン／オフの切り替えの制御を行う。ＳＷ２２４がオンになると、コンデンサＣ２が有効となり、共振回路２１４の共振周波数は所定の周波数に設定される。例えば、充電装置１００が電力の送電の際に、６．７８ＭＨｚの周波数の交流を使用する場合には、コンデンサＣ２が有効となると、共振回路２１４の共振周波数は６．７８ＭＨｚの周波数に設定される。なお、本実施の形態では、ＩＣチップ２１６とＩＣチップ２１８とは別々のＩＣチップであるが、ＩＣチップ２１６とＩＣチップ２１８とは同一のＩＣチップで実現されてもよい。
【００４１】
［２．第１の充電／通信処理］
次に、図１における情報処理システム１０００が実行する第１の充電／通信処理について説明する。図３は、図１における情報処理システム１０００が実行する第１の充電／通信処理のシーケンス図である。
【００４２】
図３において、まず、充電装置１００の送電制御部１１６は、所定の間隔で、例えば６．７８ＭＨｚの周波数の送電開始のためのリクエスト信号を外部に送信して情報処理装置２００を探索する、すなわちポーリングを開始する（ステップＳ３０２）。そして、充電装置１００の送電制御部１１６は、６．７８ＭＨｚの周波数のリクエスト信号を情報処理装置２００に送信する（ステップＳ３０４）。
【００４３】
次いで、情報処理装置２００のセンス回路２２６は、ステップＳ３０４で送信された６．７８ＭＨｚの周波数の送電開始のためのリクエスト信号を検知する（ステップＳ３０６）。
【００４４】
次いで、情報処理装置２００のＩＣチップ２１８は、ステップＳ３０４で送信されたリクエスト信号に対する、送電開始を許可するための応答信号を充電装置１００に送信する（ステップＳ３０８）。
【００４５】
次いで、充電装置１００の送電制御部１１６は、情報処理装置２００の共振回路２１４の共振周波数を変更させるための、６．７８ＭＨｚの周波数のリクエスト信号を情報処理装置２００に送信する（ステップＳ３１０）。
【００４６】
次いで、情報処理装置２００のＳＷ切り替え回路２２８は、ステップＳ３１０で送信されたリクエスト信号に基づいて、ＳＷ２２４をオンにして、共振回路２１４の共振周波数を１３．５６ＭＨｚの周波数から６．７８ＭＨｚの周波数に変更する（ステップＳ３１２）。
【００４７】
次いで、情報処理装置２００のＩＣチップ２１８は、ステップＳ３１０で送信されたリクエスト信号に対する応答信号を充電装置１００に送信する（ステップＳ３１４）。
【００４８】
次いで、充電装置１００の送電制御部１１６は、６．７８ＭＨｚの周波数の交流を使用して情報処理装置２００に電力の送信を開始する（ステップＳ３１６）。そして、充電装置１００の送電制御部１１６は、電力を情報処理装置２００に送信して（ステップＳ３１８）、本処理を終了する。
【００４９】
図３の第１の充電／通信処理によれば、充電装置１００の送電制御部１１６は、送電開始のためのリクエスト信号や共振周波数を変更させるためのリクエスト信号、さらには電力を６．７８ＭＨｚの周波数で情報処理装置２００に送信する。このとき、情報処理装置２００は、６．７８ＭＨｚのカットオフ周波数が設定されたフィルタ２２２を備えるため、フィルタ２２２において６．７８ＭＨｚの周波数の交流は遮断される。これにより、非接触充電の際に、ＩＣチップ２１６、すなわち非接触通信のための電気回路にかかる負荷を抑制することができる。例えば、非接触通信では、非接触通信のための電気回路に負荷がかかる時間は、１回の非接触通信において長くても１分の時間がかかり、１日に１０回の非接触通信を行うとした場合は、１日において長くても１０分である。また、例えば、非接触充電では、非接触通信のための電気回路に負荷がかかる時間は、ユーザが誤って、またはユーザが故意に情報処理装置２００を充電装置１００に翳したままにして、半日や１日、さらには数日、数ヶ月の間、放置した場合は、長時間となる。本実施の形態によれば、非接触充電の際に、ＩＣチップ２１６、すなわち非接触通信のための電気回路にかかる負荷を抑制することができるため、非接触充電の状態が長時間に亘る場合においても非接触通信のための電気回路が破壊されることを防止することができ、もって、非接触充電を安全に行うことができる。
【００５０】
なお、本実施の形態では、情報処理装置２００は、６．７８ＭＨｚのカットオフ周波数が設定されたフィルタ２２２を備えたが、情報処理装置２００が備えるフィルタは、通信に使用する周波数、例えば１３．５６ＭＨｚの信号やベースバンド信号、さらにはそれらの高調波成分のみを通過させるフィルタであればよい。
【００５１】
なお、本実施の形態では、送電を行うのが充電装置１００であったが、非接触通信機能を有する携帯電話などの情報処理装置が送電を行ってもよい。
【００５２】
なお、本実施の形態では、充電装置１００が送電の際に６．７８ＭＨｚの周波数の交流を使用したが、より低周波で、例えば分周比の大きい、３．３９ＭＨｚの周波数の交流を使用するのが好ましい。例えば、電波防護指針では、一般に低周波の出力であれば高周波の出力と比較して安全により高出力とすることが可能である。したがって、充電装置１００は安全に高出力で送電を行うことができるため、充電の効率を向上させることができる。
【００５３】
［３．第２の充電／通信処理］
次に、図１における情報処理システム１０００が実行する第２の充電／通信処理について説明する。図４は、図１における情報処理システム１０００が実行する第２の充電／通信処理のシーケンス図である。本処理は、図３の第１の充電／通信処理が実行された後に実行される処理である。
【００５４】
図４において、まず、充電装置１００の通信制御部１１４は、非接触式の通信開始のためのリクエスト信号を情報処理装置２００に送信する（ステップＳ４０２）。
【００５５】
次いで、情報処理装置２００のＩＣチップ２１８は、ステップＳ４０２で送信されたリクエスト信号に対する、通信開始を許可するための応答信号を充電装置１００に送信する（ステップＳ４０４）。
【００５６】
次いで、充電装置１００の通信制御部１１４は、情報処理装置２００の共振回路２１４の共振周波数を変更させるためのリクエスト信号を情報処理装置２００に送信する（ステップＳ４０６）。
【００５７】
次いで、情報処理装置２００のＳＷ切り替え回路２２８は、ステップＳ４０６で送信されたリクエスト信号に基づいて、ＳＷ２２４をオフにして、共振回路２１４の共振周波数を６．７８ＭＨｚの周波数から１３．５６ＭＨｚの周波数に変更する（ステップＳ４０８）。
【００５８】
次いで、情報処理装置２００のＩＣチップ２１８は、ステップＳ４０６で送信されたリクエスト信号に対する応答信号を充電装置１００に送信する（ステップＳ４１０）。
【００５９】
次いで、充電装置１００の通信制御部１１４は、１３．５６ＭＨｚの周波数の搬送波を使用して情報処理装置２００との非接触通信を開始する（ステップＳ４１２）。そして、充電装置１００の通信制御部１１４は、信号を情報処理装置２００に送信して（ステップＳ４１４）、本処理を終了する。
【００６０】
図４の第２の充電／通信処理によれば、情報処理システム１０００において、非接触充電の後に非接触通信を行う場合に、情報処理装置２００の共振回路２１４の共振周波数を非接触充電の際に変更された６．７８ＭＨｚの周波数から１３．５６ＭＨｚの周波数に変更する。したがって、非接触充電の後においても非接触通信を確実に行うことができる。
【００６１】
［４．第３の充電／通信処理］
次に、図１における情報処理システム１０００が実行する第３の充電／通信処理について説明する。図５は、図１における情報処理システム１０００が実行する第３の充電／通信処理のシーケンス図である。
【００６２】
図５において、まず、情報処理装置２００のＩＣチップ２１８は、充電装置１００に対して送電を要求する（ステップＳ５０２）。
【００６３】
次いで、充電装置１００の送電制御部１１６は、使用する交流の周波数を、通信の際に使用している１３．５６ＭＨｚから、例えば６．７８ＭＨｚに変更する（ステップＳ５０４）。
【００６４】
次いで、充電装置１００の送電制御部１１６は、所定の間隔で、６．７８ＭＨｚの周波数の送電開始のためのリクエスト信号を外部に送信して情報処理装置２００を探索する、すなわちポーリングを開始する（ステップＳ５０６）。そして、充電装置１００の送電制御部１１６は、６．７８ＭＨｚの周波数のリクエスト信号を情報処理装置２００に送信する（ステップＳ５０８）。
【００６５】
次いで、情報処理装置２００のセンス回路２２６は、ステップＳ５０８で送信された６．７８ＭＨｚの周波数の送電開始のためのリクエスト信号を検知する（ステップＳ５１０）。
【００６６】
次いで、情報処理装置２００のＩＣチップ２１８は、ステップＳ５０８で送信されたリクエスト信号に対する、送電開始を許可するための応答信号を充電装置１００に送信する（ステップＳ５１２）。
【００６７】
次いで、充電装置１００の送電制御部１１６は、情報処理装置２００の共振回路２１４の共振周波数を変更させるための、６．７８ＭＨｚの周波数のリクエスト信号を情報処理装置２００に送信する（ステップＳ５１４）。
【００６８】
次いで、情報処理装置２００のＳＷ切り替え回路２２８は、ステップＳ５１４で送信されたリクエスト信号に基づいて、ＳＷ２２４をオンにして、共振回路２１４の共振周波数を１３．５６ＭＨｚの周波数から６．７８ＭＨｚの周波数に変更する（ステップＳ５１６）。
【００６９】
次いで、情報処理装置２００のＩＣチップ２１８は、ステップＳ５１４で送信されたリクエスト信号に対する応答信号を充電装置１００に送信する（ステップＳ５１８）。
【００７０】
次いで、充電装置１００の送電制御部１１６は、６．７８ＭＨｚの周波数の交流を使用して情報処理装置２００に電力の送信を開始する（ステップＳ５２０）。そして、充電装置１００の送電制御部１１６は、電力を情報処理装置２００に送信して（ステップＳ５２２）、本処理を終了する。
【００７１】
図５の第３の充電／通信処理によれば、充電装置１００の送電制御部１１６は、情報処理装置２００から送電要求を受信してから、使用する交流の周波数を、通信の際に使用している１３．５６ＭＨｚから６．７８ＭＨｚに変更する。そして、送電開始のためのリクエスト信号や共振周波数を変更させるためのリクエスト信号、さらには電力を６．７８ＭＨｚの周波数で情報処理装置２００に送信する。このとき、情報処理装置２００は、６．７８ＭＨｚのカットオフ周波数が設定されたフィルタ２２２を備えるため、フィルタ２２２において６．７８ＭＨｚの周波数の交流は遮断される。これにより、非接触充電の際に、ＩＣチップ２１６、すなわち非接触通信のための電気回路にかかる負荷を抑制することができるため、非接触充電の状態が長時間に亘る場合においても非接触通信のための電気回路が破壊されることを防止することができ、もって、非接触充電を安全に行うことができる。
【００７２】
［５．情報処理システム（第２の実施の形態）］
次に、本発明の第２の実施の形態に係る情報処理システムについて説明する。図６は、本実施の形態に係る情報処理システムの概略構成を主に示す説明図である。本実施の形態における情報処理システムは、充電装置１００の代わりに、非接触通信機能を有する携帯電話などの情報処理装置を備えて、当該情報処理装置が送電を行い、さらに、送電の際に、移動体通信部の発振部が生成した交流を使用する点が、上述した第１の実施の形態と異なる。
【００７３】
図６において、情報処理システム２０００は、非接触通信機能を有する携帯電話などの情報処理装置６００，２００を備える。なお、情報処理装置６００は、本発明の第１の情報処理装置の一例であり、情報処理装置２００は、本発明の第２の情報処理装置の一例である。
【００７４】
情報処理装置６００は、送電部６０２と、通信部６０４と、移動体通信部６０６と、発振部６０８，６１０と、分周部６３２とを備える。送電部６０２は、情報処理装置６００が備える後述する図７のコイルＬ０を使用して情報処理装置２００に送電を行う。通信部６０４は、図７のコイルＬ０を使用して情報処理装置２００と通信を行う。移動体通信部６０６は、アンテナ６３４を使用して携帯電話網（図示しない）に接続された基地局３０４と通信を行う。発振部６０８は、例えば２７．１２ＭＨｚの周波数の交流を生成する。発振部６３０は、例えば１９．２ＭＨｚの周波数の交流を生成する。なお、１９．２ＭＨｚの周波数は、本発明の第３の周波数の一例である。分周部６３２は、発振部６３０が生成した交流を分周する。
【００７５】
また、通信部６０４は、発振部６０８が生成した２７．１２ＭＨｚの周波数の交流を分周した１３．５６ＭＨｚの周波数の交流を、搬送波として通信の際に使用する。また、送電部６０２は、発振部６３０が生成した１９．２ＭＨｚの周波数の交流を分周部６３２で分周した例えば４．８ＭＨｚの周波数の交流を、送電の際に使用する。また、移動体通信部６０６は、発振部６３０が生成した１９．２ＭＨｚの周波数の交流を、搬送波として通信の際に使用する。
【００７６】
情報処理装置２００は、受電部２０２と、通信部２０４と、移動体通信部２０６と、発振部２０８，２１０と、アンテナ２１２とを備える。受電部２０２は、情報処理装置２００が備える後述する図７のコイルＬ１を使用して情報処理装置６００から送信された電力の受電を行う。通信部２０４は、図７のコイルＬ１を使用して情報処理装置６００と通信を行う。移動体通信部２０６は、アンテナ２１２を使用して携帯電話網（図示しない）に接続された基地局３００と通信を行う。発振部２０８は、例えば２７．１２ＭＨｚの周波数の交流を生成する。発振部２１０は、例えば１９．２ＭＨｚの周波数の交流を生成する。
【００７７】
また、通信部２０４は、発振部２０８が生成した２７．１２ＭＨｚの周波数の交流を分周した１３．５６ＭＨｚの周波数の交流を、搬送波として通信の際に使用する。また、移動体通信部２０６は、発振部２１０が生成した１９．２ＭＨｚの周波数の交流を、搬送波として通信の際に使用する。
【００７８】
情報処理システム２０００では、情報処理装置６００と情報処理装置２００とは、非接触通信、および非接触充電を行うことができる。
【００７９】
次に、図６における情報処理システム２０００の構成についてより詳細に説明する。図７は、図６における情報処理システム２０００の概略構成をより詳細に示す説明図である。
【００８０】
図７において、充電装置６００は、アンテナ６１０と、制御部６１２と、発振子６１８，６２４と、分周器６２０，６２６と、アダプタ６２２とを備える。アンテナ６１０は、コイルＬ０を備える。制御部６１２は、充電装置６００の各部の制御を行う。また、制御部６１２は、通信制御部６１４と、送電制御部６１６とを備える。発振子６１８は、例えば２７．１２ＭＨｚの周波数の交流を生成する水晶発振子などの発振子である。分周器６２０は、発振子６１８が生成した２７．１２ＭＨｚの周波数の交流を分周して１３．５６ＭＨｚの周波数の交流を生成する。発振子６２４は、例えば１９．２ＭＨｚの周波数の交流を生成する水晶発振子などの発振子である。分周器６２６は、発振子６２４が生成した１９．２ＭＨｚの周波数の交流を分周して例えば４．８ＭＨｚの周波数の交流を生成する。なお、分周器６２６は、様々な周波数の交流の分周を可能としたプログラマブル分周器であってもよい。アダプタ６２２は、ＡＣ電源３０６に接続して、充電装置６００の各部に電力を供給する。
【００８１】
情報処理装置２００は、コイルＬ１とコンデンサＣ１とが並列に接続された共振回路２１４と、ＩＣチップ２１６，２１８と、バッテリ２２０と、フィルタ２２２と、コンデンサＣ２を有効化または無効化するためのスイッチ（ＳＷ）２２４とを備える。共振回路２１４には、共振周波数として１３．５６ＭＨｚの周波数が設定されている。ＩＣチップ２１６は、非接触通信のための電気回路である。ＩＣチップ２１８は、バッテリ２２０の充電のための電気回路である。バッテリ２２０は、情報処理装置６００から送信された電力を蓄積する。また、バッテリ２２０は、蓄積した電力を情報処理装置２００の各部に供給する。フィルタ２２２には、所定のカットオフ周波数が設定されている。例えば、情報処理装置６００が電力の送電の際に、４．８ＭＨｚの周波数の交流を使用する場合には、フィルタ２２２には、４．８ＭＨｚの周波数のカットオフ周波数が設定される。
【００８２】
また、ＩＣチップ２１８は、センス回路２２６と、ＳＷ切り替え回路２２８とを備える。センス回路２２６は、所定の周波数の信号を検知する。例えば、情報処理装置６００が電力の送電の際に、４．８ＭＨｚの周波数の交流を使用する場合には、センス回路２２６は、４．８ＭＨｚの周波数の信号の検知を行う。ＳＷ切り替え回路２２８は、ＳＷ２２４のオン／オフの切り替えの制御を行う。ＳＷ２２４がオンになると、コンデンサＣ２が有効となり、共振回路２１４の共振周波数は所定の周波数に設定される。例えば、情報処理装置６００が電力の送電の際に、４．８ＭＨｚの周波数の交流を使用する場合には、コンデンサＣ２が有効となると、共振回路２１４の共振周波数は４．８ＭＨｚの周波数に設定される。
【００８３】
本実施の形態によれば、情報処理装置６００の送電制御部６１６は、送電開始のためのリクエスト信号や共振周波数を変更させるためのリクエスト信号、さらには電力を４．８ＭＨｚの周波数で情報処理装置２００に送信する。このとき、情報処理装置２００は、４．８ＭＨｚのカットオフ周波数が設定されたフィルタ２２２を備えるため、フィルタ２２２において４．８ＭＨｚの周波数の交流は遮断される。これにより、非接触充電の際に、ＩＣチップ２１６、すなわち非接触通信のための電気回路にかかる負荷を抑制することができるため、非接触充電の状態が長時間に亘る場合においても非接触通信のための電気回路が破壊されることを防止することができ、もって、非接触充電を安全に行うことができる。
【００８４】
さらに、本実施の形態によれば、充電装置６００の送電制御部６１６は、１３．５６ＭＨｚの周波数の搬送波を生成する発振子６１８とは異なる発振子６２４から生成された交流を分周した４．８ＭＨｚの周波数の交流を使用すれば、高調波成分は共振回路２１４において非接触通信の際に設定されている１３．５６ＭＨｚの共振周波数付近に発生しにくい。これにより、非接触充電の際に、ＩＣチップ２１６、すなわち非接触通信のための電気回路にかかる負荷をさらに抑制することができる。
【００８５】
［６．情報処理システム（第３の実施の形態）］
次に、本発明の第３の実施の形態に係る情報処理システムについて説明する。図８は、本実施の形態に係る情報処理システムの概略構成を主に示す説明図である。本実施の形態における情報処理システムは、充電装置が複数の発振部を備えて、情報処理装置から送信される送電要求に含まれる周波数情報に基づいて、充電装置が送電の際に使用する交流の周波数を複数の周波数から選択する点が、上述した第１の実施の形態と異なる。
【００８６】
図８において、情報処理システム３０００は、リーダ／ライタ機能を有する充電装置７００と、非接触通信機能を有する携帯電話などの情報処理装置８００とを備える。なお、充電装置７００は、本発明の第１の情報処理装置の一例であり、情報処理装置８００は、本発明の第２の情報処理装置の一例である。
【００８７】
充電装置７００は、送電部７０２と、通信部７０４と、発振部７０６，７３０と、分周部７０８，７３２とを備える。送電部７０２は、充電装置７００が備える後述する図９のコイルＬ０を使用して情報処理装置８００に送電を行う。通信部７０４は、図９のコイルＬ０を使用して情報処理装置８００と通信を行う。発振部７０６は、例えば２７．１２ＭＨｚの周波数の交流を生成する。分周部７０８は、発振部７０６が生成した交流を分周する。発振部７３０は、発振部７０６が生成した交流の周波数とは異なる周波数の交流を生成する。分周部７３２は、発振部７３０が生成した交流を分周する。なお、本実施の形態では、充電装置７００は、さらに他の発振部および分周部を備えてもよい。
【００８８】
また、通信部７０４は、発振部７０６が生成した２７．１２ＭＨｚの周波数の交流を分周した１３．５６ＭＨｚの周波数の交流を、搬送波として通信の際に使用する。なお、１３．５６ＭＨｚの周波数は、本発明の第１の周波数の一例である。また、送電部７０２は、送電の際に使用する交流の周波数を選択可能である。例えば、発振部７０６が生成した２７．１２ＭＨｚの周波数の交流を分周した１３．５６ＭＨｚの周波数の交流を、さらに分周部７０８で分周した例えば６．７８ＭＨｚの周波数の交流や、発振部７３０が生成した交流を分周部７３２で分周した交流を、送電の際に使用する交流として選択可能である。なお、６．７８ＭＨｚの周波数は、本発明の第２の周波数の一例である。
【００８９】
情報処理装置８００は、受電部８０２と、通信部８０４と、移動体通信部８０６と、発振部８０８，８１０と、アンテナ８１２とを備える。受電部８０２は、情報処理装置８００が備える後述する図９のコイルＬ１を使用して充電装置７００から送信された電力の受電を行う。通信部８０４は、図９のコイルＬ１を使用して充電装置７００と通信を行う。通信部８０４は、充電の際に使用する交流の周波数を指定するための周波数情報を含む送電要求を充電装置７００に送信する。移動体通信部８０６は、アンテナ８１２を使用して携帯電話網（図示しない）に接続された基地局３０８と通信を行う。発振部８０８は、例えば２７．１２ＭＨｚの周波数の交流を生成する。発振部８１０は、例えば１９．２ＭＨｚの周波数の交流を生成する。
【００９０】
また、通信部８０４は、発振部８０８が生成した２７．１２ＭＨｚの周波数の交流を分周した１３．５６ＭＨｚの周波数の交流を、搬送波として通信の際に使用する。また、移動体通信部８０６は、発振部８１０が生成した１９．２ＭＨｚの周波数の交流を、搬送波として通信の際に使用する。
【００９１】
情報処理システム３０００では、充電装置７００と情報処理装置８００とは、非接触通信、および非接触充電を行うことができる。
【００９２】
次に、図８における情報処理システム３０００の構成についてより詳細に説明する。図９は、図８における情報処理システム３０００の概略構成をより詳細に示す説明図である。
【００９３】
図９において、充電装置７００は、アンテナ７１０と、制御部７１２と、発振子７１８，７２４と、分周器７２０，７２６と、アダプタ７２２とを備える。アンテナ７１０は、コイルＬ０を備える。制御部７１２は、充電装置７００の各部の制御を行う。また、制御部７１２は、通信制御部７１４と、送電制御部７１６とを備える。発振子７１８は、例えば２７．１２ＭＨｚの周波数の交流を生成する水晶発振子などの発振子である。分周器７２０は、発振子７１８が生成した２７．１２ＭＨｚの周波数の交流を分周して１３．５６ＭＨｚの周波数の交流を生成する。発振子７２４は、発振子７１８が生成した交流の周波数とは異なる周波数の交流を生成する水晶発振子などの発振子である。分周器７２６は、発振子７２４が生成した交流を分周する。なお、分周器７２６は、様々な周波数の交流の分周を可能としたプログラマブル分周器であってもよい。アダプタ７２２は、ＡＣ電源３１０に接続して、充電装置７００の各部に電力を供給する。なお、本実施の形態では、充電装置７００は、さらに他の発振子および分周器を備えてもよい。
【００９４】
情報処理装置８００は、コイルＬ１とコンデンサＣ１とが並列に接続された共振回路８１４と、ＩＣチップ８１６，８１８と、バッテリ８２０と、フィルタ８２２と、コンデンサＣ２を有効化または無効化するためのスイッチ（ＳＷ）８２４とを備える。共振回路８１４には、共振周波数として１３．５６ＭＨｚの周波数が設定されている。ＩＣチップ８１６は、非接触通信のための電気回路である。ＩＣチップ８１８は、バッテリ８２０の充電のための電気回路である。バッテリ８２０は、充電装置７００から送信された電力を蓄積する。また、バッテリ８２０は、蓄積した電力を情報処理装置８００の各部に供給する。フィルタ８２２には、所定のカットオフ周波数が設定されている。例えば、充電装置７００が電力の送電の際に、４．８ＭＨｚの周波数の交流やその周波数とは異なる周波数の交流を選択して使用する場合には、フィルタ８２２には、それらの周波数の交流を遮断するためのカットオフ周波数が設定される。
【００９５】
また、ＩＣチップ８１８は、センス回路８２６と、ＳＷ切り替え回路８２８とを備える。センス回路８２６は、所定の周波数の信号を検知する。例えば、充電装置７００が電力の送電の際に、４．８ＭＨｚの周波数の交流を使用する場合には、センス回路８２６は、４．８ＭＨｚの周波数の信号の検知を行う。ＳＷ切り替え回路８２８は、ＳＷ８２４のオン／オフの切り替えの制御を行う。ＳＷ８２４がオンになると、コンデンサＣ２が有効となり、共振回路８１４の共振周波数は所定の周波数に設定される。例えば、充電装置７００が電力の送電の際に、４．８ＭＨｚの周波数の交流を使用する場合には、コンデンサＣ２が有効となると、共振回路８１４の共振周波数は４．８ＭＨｚの周波数に設定される。
【００９６】
［７．充電／通信処理］
次に、図８における情報処理システム３０００が実行する充電／通信処理について説明する。図１０は、図８における情報処理システム３０００が実行する充電／通信処理のシーケンス図である。
【００９７】
図１０において、まず、情報処理装置８００のＩＣチップ８１８は、充電装置７００に対して充電の際に使用する交流の周波数を指定するための周波数情報を含む送電要求を送信する（ステップＳ６０２）。
【００９８】
次いで、充電装置７００の送電制御部７１６は、ステップＳ６０２で受信した送電要求に含まれる周波数情報に基づいて、充電の際に使用する交流の周波数を選択する（ステップＳ６０４）。例えば、送電制御部７１６は、周波数情報が発振子７１８が生成した交流の周波数に対応する周波数情報であるときは、充電の際に使用する交流として発振子７１８が生成した交流を選択する。また、送電制御部７１６は、周波数情報が発振子７２４が生成した交流の周波数に対応する周波数情報であるときは、充電の際に使用する交流として発振子７２４が生成した交流を選択する。
【００９９】
次いで、充電装置７００の送電制御部７１６は、所定の間隔で、ステップＳ６０４で選択された周波数の送電開始のためのリクエスト信号を外部に送信して情報処理装置８００を探索する、すなわちポーリングを開始する（ステップＳ６０６）。ステップＳ６０４で選択された周波数は、本発明の第４の周波数の一例である。そして、充電装置７００の送電制御部７１６は、ステップＳ６０４で選択された周波数のリクエスト信号を情報処理装置８００に送信する（ステップＳ６０８）。
【０１００】
次いで、情報処理装置８００のセンス回路８２６は、ステップＳ６０８で送信されたステップＳ６０４で選択された周波数の送電開始のためのリクエスト信号を検知する（ステップＳ６１０）。
【０１０１】
次いで、情報処理装置８００のＩＣチップ８１８は、ステップＳ６０８で送信されたリクエスト信号に対する、送電開始を許可するための応答信号を充電装置７００に送信する（ステップＳ６１２）。
【０１０２】
次いで、充電装置７００の送電制御部７１６は、情報処理装置８００の共振回路８１４の共振周波数を変更させるための、ステップＳ６０４で選択された周波数のリクエスト信号を情報処理装置８００に送信する（ステップＳ６１４）。
【０１０３】
次いで、情報処理装置８００のＳＷ切り替え回路８２８は、ステップＳ６１４で送信されたリクエスト信号に基づいて、ＳＷ８２４をオンにして、共振回路８１４の共振周波数を１３．５６ＭＨｚの周波数からステップＳ６０４で選択された周波数に変更する（ステップＳ６１６）。
【０１０４】
次いで、情報処理装置８００のＩＣチップ８１８は、ステップＳ６１４で送信されたリクエスト信号に対する応答信号を充電装置７００に送信する（ステップＳ６１８）。
【０１０５】
次いで、充電装置７００の送電制御部７１６は、ステップＳ６０４で選択された周波数の交流を使用して情報処理装置８００に電力の送信を開始する（ステップＳ６２０）。そして、充電装置７００の送電制御部７１６は、電力を情報処理装置８００に送信して（ステップＳ６２２）、本処理を終了する。
【０１０６】
図１０の充電／通信処理によれば、充電装置７００の送電制御部７１６は、情報処理装置８００から受信した送電要求に含まれる周波数情報に基づいて、充電の際に使用する交流の周波数を選択する。そして、送電開始のためのリクエスト信号や共振周波数を変更させるためのリクエスト信号、さらには電力を選択された周波数で情報処理装置８００に送信する。このとき、情報処理装置８００は、充電装置７００の送電制御部７１６が選択可能な周波数の交流を遮断するためのカットオフ周波数が設定されたフィルタ８２２を備えるため、フィルタ８２２において選択された周波数の交流は遮断される。これにより、非接触充電の際に、ＩＣチップ８１６、すなわち非接触通信のための電気回路にかかる負荷を抑制することができるため、非接触充電の状態が長時間に亘る場合においても非接触通信のための電気回路が破壊されることを防止することができ、もって、非接触充電を安全に行うことができる。
【０１０７】
［８．情報処理システム（第４の実施の形態）］
次に、本発明の第４の実施の形態に係る情報処理システムについて説明する。図１１は、本実施の形態に係る情報処理システムの概略構成を主に示す説明図である。本実施の形態における情報処理システムは、情報処理装置２００の代わりに、非接触通信機能を有する情報処理装置としてのＩＣカードを備える点が、上述した第１の実施の形態と異なる。
【０１０８】
図１１において、情報処理システム４０００は、リーダ／ライタ機能を有する充電装置１００と、非接触通信機能を有する情報処理装置としてのＩＣカード９００とを備える。
【０１０９】
充電装置１００は、送電部１０２と、通信部１０４と、発振部１０６と、分周部１０８とを備える。送電部１０２は、充電装置１００が備える後述する図１２のコイルＬ０を使用して外部に送電を行う。通信部１０４は、図１２のコイルＬ０を使用してＩＣカード９００と通信を行う。発振部１０６は、例えば２７．１２ＭＨｚの周波数の交流を生成する。分周部１０８は、発振部１０６が生成した交流を分周する。
【０１１０】
また、通信部１０４は、発振部１０６が生成した２７．１２ＭＨｚの周波数の交流を分周した１３．５６ＭＨｚの周波数の交流を、搬送波として通信の際に使用する。また、送電部１０２は、発振部１０６が生成した２７．１２ＭＨｚの周波数の交流を分周した１３．５６ＭＨｚの周波数の交流を、さらに分周部１０８で分周した例えば６．７８ＭＨｚの周波数の交流を、送電の際に使用する。
【０１１１】
ＩＣカード９００は、通信部９０２を備える。通信部９０２は、図１２のコイルＬ１を使用して充電装置１００と通信を行う。
【０１１２】
情報処理システム４０００では、充電装置１００とＩＣカード９００とは、非接触通信を行うことができる。
【０１１３】
次に、図１１における情報処理システム４０００の構成についてより詳細に説明する。図１２は、図１１における情報処理システム４０００の概略構成をより詳細に示す説明図である。
【０１１４】
図１２において、充電装置１００は、アンテナ１１０と、制御部１１２と、発振子１１８と、分周器１２０と、アダプタ１２２とを備える。アンテナ１１０は、コイルＬ０を備える。制御部１１２は、充電装置１００の各部の制御を行う。また、制御部１１２は、通信制御部１１４と、送電制御部１１６とを備える。発振子１１８は、例えば２７．１２ＭＨｚの周波数の交流を生成する水晶発振子などの発振子である。分周器１２０は、発振子１１８が生成した２７．１２ＭＨｚの周波数の交流を分周して１３．５６ＭＨｚの周波数の交流や６．７８ＭＨｚの周波数の交流を生成する。アダプタ１２２は、ＡＣ電源３０２に接続して、充電装置１００の各部に電力を供給する。
【０１１５】
ＩＣカード９００は、コイルＬ１とコンデンサＣ１とが並列に接続された共振回路９０４と、ＩＣチップ９０６と、フィルタ９０８とを備える。共振回路９０４には、共振周波数として１３．５６ＭＨｚの周波数が設定されている。ＩＣチップ９０６は、非接触通信のための電気回路である。フィルタ９０８には、所定のカットオフ周波数が設定されている。例えば、充電装置１００が電力の送電の際に、６．７８ＭＨｚの周波数の交流を使用する場合には、フィルタ９０８には、６．７８ＭＨｚの周波数のカットオフ周波数が設定される。
【０１１６】
本実施の形態によれば、充電装置１００の送電制御部１１６は、送電開始のためのリクエスト信号や共振周波数を変更させるためのリクエスト信号、さらには電力を６．７８ＭＨｚの周波数で外部に送信する。このとき、充電の必要がないＩＣカード９００は、６．７８ＭＨｚのカットオフ周波数が設定されたフィルタ９０８を備えるため、フィルタ９０８において６．７８ＭＨｚの周波数の交流は遮断される。これにより、充電の必要がないＩＣカード９００に６．７８ＭＨｚの周波数の信号が送信された場合においても、ＩＣチップ９０６、すなわち非接触通信のための電気回路にかかる負荷を抑制することができるため、非接触通信のための電気回路が破壊されることを防止することができる。
【０１１７】
［９．数値シミュレーション結果］
次に、上述した第１の実施の形態に係る情報処理システム１０００において、情報処理装置２００がフィルタ２２２を備える場合と、情報処理装置２００がフィルタ２２２を備えない場合とにおける、数値シミュレーションの結果について説明する。図１３は、上述した第１の実施の形態に係る情報処理システム１０００において、情報処理装置２００がフィルタ２２２を備える場合と、情報処理装置２００がフィルタ２２２を備えない場合とにおける、電圧値の数値シミュレーションの結果を示すグラフである。図１４は、上述した第１の実施の形態に係る情報処理システム１０００において、情報処理装置２００がフィルタ２２２を備える場合と、情報処理装置２００がフィルタ２２２を備えない場合とにおける、電流値の数値シミュレーションの結果を示すグラフである。なお、数値シミュレーションでは、充電装置１００が送電する際のＩＣチップ２１６内における整流後の電圧および電流の値を算出した。
【０１１８】
図１３に示すように、情報処理装置２００がフィルタ２２２を備えない場合（フィルタなし）では、突入時電圧として１．５Ｖの電圧が算出され、その後、０．８６Ｖ付近の電圧が算出された。一方、情報処理装置２００がフィルタ２２２を備える場合（フィルタあり）では、突入時電圧は算出されず、０．０９Ｖ付近の電圧が算出された。
【０１１９】
また、図１４に示すように、情報処理装置２００がフィルタ２２２を備えない場合（フィルタなし）では、突入時電流として２５ｍＡの電流が算出され、その後、２．８ｍＡ付近の電流が算出された。一方、情報処理装置２００がフィルタ２２２を備える場合（フィルタあり）では、突入時電流は算出されず、１ｍＡ付近の電流が算出された。
【０１２０】
図１３，１４に示す数値シミュレーションの結果によれば、情報処理装置２００がフィルタ２２２を備えない場合と比較して、フィルタ２２２を備える場合では、ＩＣチップ２１６内における電圧および電流の値を小さくすることができるため、ＩＣチップ２１６、すなわち非接触通信のための電気回路にかかる負荷を確実に抑制することができることが分かった。
【０１２１】
以上、添付図面を参照しながら本発明の好適な実施の形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１２２】
１００    充電装置
１０２    送電部
１０４，２０４    通信部
１０６，２０８，２１０    発振部
１０８    分周部
１１０，２１２    アンテナ
１１２    制御部
１１４    通信制御部
１１６    送電制御部
１１８    発振子
１２０    分周器
１２２    アダプタ
２００    情報処理装置
２０２    受電部
２０６    移動体通信部
２１４    共振回路
２１６，２１８    ＩＣチップ
２２０    バッテリ
２２２    フィルタ
２２４    ＳＷ
２２６    センス回路
２２８    ＳＷ切り替え回路
３００    基地局
３０２    ＡＣ電源
１０００    情報処理システム
【図１】
0005463932.tif 000002
【図２】
0005463932.tif 000003
【図３】
0005463932.tif 000004
【図４】
0005463932.tif 000005
【図５】
0005463932.tif 000006
【図６】
0005463932.tif 000007
【図７】
0005463932.tif 000008
【図８】
0005463932.tif 000009
【図９】
0005463932.tif 000010
【図１０】
0005463932.tif 000011
【図１１】
0005463932.tif 000012
【図１２】
0005463932.tif 000013
【図１３】
0005463932.tif 000014
【図１４】
0005463932.tif 000015